Podtech/llm-jp-corpus-v4-ja_patent huggingface dataset:
(57)【要約】【課題】本発明は、モニター等を使いやすい位置に固定する器具用固定具１を提供することを目的としている。【解決手段】本発明に係る器具用固定具１は、固定部２、取り付け部３、アーム４とから構成され、固定部２、取り付け部３、アーム４にはそれぞれボルト挿通孔６が設けられ、ボルト挿通孔６に両側より外側からそれぞれボルト５を挿通し、内側からは締結リング８によりボルト５を固定して、任意の角度で保持可能である可動部７を構成し、ボルト５の内側先端にコイルばね９を挿通し固定部２と取り付け部３とアーム４とを支持することを特徴とする。【選択図】図１
2006251667.tif 000002
【特許請求の範囲】
【請求項１】
一端に机等に取り付けるための取り付け部を形成し、他端にはモニター等の器具を固定するための固定部を有し、前記取り付け部と固定部とはアームで接続されて成る器具用固定具であって、前記固定部、取り付け部、アームにはそれぞれボルト挿通孔が設けられ、該ボルト挿通孔に両側より外側からそれぞれボルトを挿通し、内側からは締結リングにより前記ボルトを固定して、任意の角度で保持可能である可動部を構成し、前記ボルトの内側先端にコイルばねを挿通し前記固定部と取り付け部とアームとを支持することを特徴とする器具用固定具。
【発明の詳細な説明】
【技術分野】
【０００１】
本発明は、一端に机等に取り付けるための取り付け部を形成し、他端にはモニター等の器具を固定するための固定部を有し、取り付け部と固定部とはアームで接続されて成る器具用固定具に関するものである。
【背景技術】
【０００２】
従来の器具用固定具は、固定部にアームを取り付け、アームの先端にモニター等の器具を取り付ける。固定部とアームとの接続部品に複数箇所ねじ挿通孔を設け、ねじ挿通孔にねじを挿通し、締め付け固定するものであった。ねじを挿通するねじ挿通孔の位置により器具の固定角度が決定される。
【特許文献１】特開２００３−２６４７５６号公報
【発明の開示】
【発明が解決しようとする課題】
【０００３】
しかしながら上記従来技術によれば、器具の固定角度は特定の位置に限定されてしまうので、微調整ができず、モニターの位置が見やすい場所にくるとも限らず、使いにくい場合があった。
【課題を解決するための手段】
【０００４】
そこで本発明は、モニター等を使いやすい位置に固定する器具用固定具を提供することを目的とし、その構造は、固定部、取り付け部、アームにはそれぞれボルト挿通孔が設けられ、ボルト挿通孔に両側より外側からそれぞれボルトを挿通し、内側からは締結リングによりボルトを固定して、任意の角度で保持可能である可動部を構成し、ボルトの内側先端にコイルばねを挿通し固定部と取り付け部とアームとを支持することを特徴とする。
【発明の効果】
【０００５】
本発明に係る器具用固定具は、固定部、取り付け部、アームにはそれぞれボルト挿通孔が設けられ、ボルト挿通孔に両側より外側からそれぞれボルトを挿通し、内側からは締結リングによりボルトを固定して、任意の角度で保持可能である可動部を構成し、ボルトの内側先端にコイルばねを挿通し固定部と取り付け部とアームとを支持するため、取り付け部を任意の角度で保持することができ、モニター等の器具を見やすい位置に置くことができ、作業性が向上する。モニター等取り付けられる器具の重量に応じて可動部の抵抗が、可動部に内蔵されるコイルばねにより調整され、取り付け機器の重量は制限されにくい。
【発明を実施するための最良の形態】
【０００６】
モニター等の器具を使いやすい位置に固定するという目的を、最小の部品点数で器具の重量に関わらず取り付けを実現した。
【実施例１】
【０００７】
本発明に係る器具用固定具の実施例を図１に示す添付図面に基づいて説明する。
【０００８】
本発明に係る器具用固定具１は、机等に取り付けられ、モニター等の器具を先端に固定する。器具用固定具１は、一端に机等に取り付けるための取り付け部２を形成し、他端にはモニター等の器具を固定するための固定部３を有し、取り付け部２と固定部３とはアーム４で接続されて構成される。
【０００９】
図１においては、アーム４は断面略コ字状に折曲形成し強度を高めている。また、端部には両側に、取り付け部２と固定部３とを接続するためにボルト５を挿通する挿通孔６を設け、それに対向する位置に、取り付け部２と固定部３とにそれぞれ挿通孔６を設ける。挿通孔６を対向させそれぞれにボルト５を挿通し、可動部７を構成する。可動部７の両内側からは締結リング８を取り付け、ボルト５を締め付けることによって固定される。
【００１０】
ボルト５の先端にはコイルばね９を取り付け、取り付け部２とアーム４及び、アーム４と固定部３とを支持する。コイルばね９により、アーム４と取り付け部２及び、アーム４と固定部３とは任意の角度に曲げて保持することができる。
【００１１】
ボルト５及びコイルばね９はホルダ１０により被覆し、塵埃から保護すると共に、外側からコイルばねが見えないようにして、外観を損ねないようにしている。
【００１２】
取り付け部２に取り付けられる機器の重量に合わせて、コイルばね９のの抵抗を調整することができ、そのため、取り付け機器の重量制限が少なくなり、様々な重量の機器を取り付けることが可能になる。
【産業上の利用可能性】
【００１３】
アームと接続するためのボルトの先端にコイルばねを取り付けることにより、可動部の抵抗が調整可能となり、取り付け部に取り付けられるモニター等の器具の重量を支持することができる。
【図面の簡単な説明】
【００１４】
【図１】本発明に係る器具用固定具を示す説明図である。（実施例１）
【図２】図１における可動部の拡大図である。（実施例１）
【符号の説明】
【００１５】
１    器具用固定具
２    取り付け部
３    固定部
４    アーム
５    ボルト
６    挿通孔
７    可動部
８    締結リング
９    コイルばね
１０  ホルダ
【図１】
2006251667.tif 000003
【図２】
2006251667.tif 000004
(57)【要約】【課題】  自動車の動力を正誤し従来の自動車よりも停止距離を短くして夏の暑い時、エアコンを入れるとエンジン回転が下がり悪くブレーキの利きが悪くなるのを防ぐ装置。【解決手段】  この装置はブレーキペダルを踏まずモーターやエンジンブレーキを使用する為に安全に操行できます。第３図  急ブレーキをかけると1.のスピードセンサーが０になると解除されエアコンとエンジンは作動を始める。（ブレーキを利かさない時も解除される）  6.のブレーキシリンダー内の圧力により０．０５気圧でエアコンが切れ０．５気圧でエンジンを停止する。（車種により異なる）【選択図】図１
2006290277.tif 000002
【特許請求の範囲】
【請求項１】
自動車の動力を、スピードセンサーと前方センサーによりコンピューターでエンジンを止め車間距離を保つよう制御し、従来の自動車よりも停止距離を短くして、夏の暑い時エアコンを入れるとエンジン回転数が下がり易く、ブレーキの利きが悪くなるのを防ぐため、ブレーキペダルを踏んだときブレーキシリンダー内圧で油圧センサーを用いてエアコンとエンジンを止めて停車距離を短くする追突防止ブレーキシステム。
【発明の詳細な説明】
【技術分野】
【０００１】
本発明はブレーキペダルを踏まず、モーターやエンジンブレーキを使用する為に安全に操行できます。
【背景技術】
【０００２】
従来車にはエンジンを止めて制御をする車はないため車間距離を保てなかった。
【発明の開示】
【発明が解決しようとする課題】
【０００３】
ブレーキライニング（パット）に影響なく安全に速度を落とすことが出来、極めて安全に運転が出来る。
車の追突防止
【０００４】
この改善策として、追突を防ぐため{0001本発明装置で車間距離をエンジンブレーキで制御する。
【０００５】
解決しようとする問題点は、前車との車間距離で一定の距離をおく事である。
【課題を解決するための手段】
【０００６】
夏の暑い時にエアコンを入れると、エンジンの回転が下がり悪くブレーキの利きが悪くなるのを防ぐと伴に急ブレーキの時、車輪をロックせず停止距離を短くし追突を防ぐと共にエンジンやモーターを止めエンジンブレーキを利かせる図番（1）のスピードセンサーが０の時はエンジンとモーターは作動させる。
【発明の効果】
【０００７】
本発明はエンジン動力を止める為、なめらかに速度を落とすことが出来るので車間距離を保てる。
急ブレーキの時、エアコンと動力を止めブレーキの利きを良くして停止距離を短くする。
【発明を実施するための最良の形態】
【０００８】
車間距離の割り出しと車速。車間距離の割り出しは前車のストップランプの点灯より自車の運転者がブレーキペタルを踏む時間で2秒から3秒を要するので時速１００キロ時は３秒で４０メートルとなる車種により異なりこれを車間距離とする。
追い越しの時は方向指示機のスイッチを入れると解除され従来の車と変わりない操行が出来る。
【実施例１】
【０００９】
本発明はブレーキシステムの為断面図無し。
【図面の簡単な説明】
【００１０】
【図１】センサーの取付を示す。
【図２】コンピューターとセンサーの配線配置。
【図３】コンピューターとセンサーと電磁バルブの配線配置。
【符号の説明】
【００１１】
1.スピードセンサーW  2.制御コンピューターW
3.切り替えスイッチ  4.油圧センサーW  5.電磁バルブ  
6.ブレーキシリンダー  7前方センサーW
【図１】
2006290277.tif 000003
【図２】
2006290277.tif 000004
【図３】
2006290277.tif 000005
(57)【要約】      （修正有）【課題】蛾等の鱗翅目飛翔害虫に対し速やかにノックダウン活性を示し、確実に致死に至らしめる優れた効果を示すエアゾールを作りあげること。【解決手段】有効成分フタルスリン および シフェノトリン 、溶剤、及び噴射剤からなるエアゾールを処理することにより、蛾等の鱗翅目飛翔害虫を速やかに駆除でき、また壁面等への処理により、蛾等の鱗翅目飛翔害虫が壁面等に止まることを防ぐことができ、快適な生活空間を得ることが出来るようになった。【選択図】なし【特許請求の範囲】
【請求項１】
フタルスリン および シフェノトリンを含む蛾等の鱗翅目害虫防除用エアゾール剤
【請求項２】
請求項１記載のエアゾール剤を噴霧することにより鱗翅目害虫を駆除する方法
【発明の詳細な説明】
【技術分野】
【０００１】
本発明は、飛翔害虫、特に蛾等の鱗翅目害虫の駆除用エアゾールに関するものである。
【背景技術】
【０００２】
飛翔害虫の駆除を標榜しているエアゾールは多く知られているが、ヨトウ蛾等の鱗翅目害虫に十分な効力を有するものは知られていない。また、壁面に噴霧処理した場合の害虫忌避活性においても持続性面で効力不十分であった。
【発明の開示】
【発明が解決しようとする課題】
【０００３】
本発明の目的は、飛翔害虫、特に蛾等の鱗翅目害虫に対し優れた害虫防除効果を示すエアゾール剤を提供することである。
【課題を解決するための手段】
【０００４】
前記目的を果たすべく鋭意検討した結果、有効成分フタルスリン および シフェノトリン 、溶剤、及び噴射剤からなる、蛾等の鱗翅目飛翔害虫に対し優れた効果を示すエアゾールを完成した。
【発明の効果】
【０００５】
有効成分フタルスリン および シフェノトリン 、溶剤、及び噴射剤からなるエアゾールを処理することにより、蛾等の鱗翅目飛翔害虫を速やかに駆除でき、また壁面等への処理により、蛾等の鱗翅目飛翔害虫が壁面等に止まることを防ぐことができ、快適な生活空間を得ることが出来るようになった。
【発明を実施するための最良の形態】
【０００６】
本発明のエアゾールに使用される有効成分フタルスリン および シフェノトリンの量は、ともにエアゾール中０．００２〜３重量％、好ましくは０．０５〜２重量％である。
【０００７】
前記フタルスリン および シフェノトリンを、ケロシンなどの油性溶剤に溶かして、エアゾール原液を作成し、液化石油ガス、ジメチルエーテル、圧縮ガス、窒素ガス等の噴射剤を加えながら充填することで油性エアゾールを作成することができる。一方、油性溶剤の量を減らし、界面活性剤と水を加えた原液に上記噴射剤を加えながら充填することで水性エアゾールを作成することも出来る。
【０００８】
本発明のエアゾールでの、エアゾール原液と噴射剤との混合容積比は、５：１〜１：５の間で任意に設定できるが、好ましくは４：１〜１：４である。
【０００９】
本発明に使用されるエアゾールを構成する容器の材質は、通常のエアゾールで使用されるブリキ缶、アルミ缶を用いるのが好ましいが、ガラス缶、プラスチック缶を用いてもよい。
【００１０】
また本発明のエアゾールには有効成分であるフタルスリン および シフェノトリンに加えて他のピレスロイド系殺虫剤、忌避剤、昆虫成長調整剤、抗幼虫ホルモン剤、殺ダニ剤、殺蟻剤等のいわゆる害虫に対して殺虫、忌避効果を有するものを目的や必要に応じて加えることができる。
【００１１】
そして本発明のエアゾールには害虫防除および殺ダニ成分以外の殺菌剤、防黴剤、消臭剤、芳香剤、香料、植物精油等なども配合できる。
【００１２】
本発明において用いられる油性溶媒としては一般のエアゾール剤で用いられているケロシン、1号灯油成分等の脂肪族炭化水素類；キシレン、トルエン当の芳香族炭化水素類、エタノール、イソプロピルアルコール、エチレングリコール等のアルコール類が挙げられるが、無臭のケロシン、1号灯油を用いるのが望ましい。
【００１３】
本発明の飛翔害虫防除用エアゾール噴射剤としては従来のエアゾール剤で用いられている液化石油ガス、ジメチルエーテル、窒素ガス、ブタン等が挙げられる。
【００１４】
本発明の防除対象は屋内外に生息する飛翔性害虫であり、具体的には
ニカメイガ（ニカメイチュウ）、コブノメイガ、ノシメコクガ等のメイガ類、ハスモンヨトウ、アワヨトウ、ヨトウガ等のヨトウ類、モンシロチョウ等のシロチョウ類、コカクモンハマキ等のハマキガ類、シンクイガ類、ハモグリガ類、ホソガ類、キバガ類、ドクガ類、ウワバ類、カブラヤガ、タマナヤガ等のアグロティス属害虫（Agrothis spp.）、ヘリオティス属害虫 (Heliothis spp.) 、コナガ、イガ、コイガ等の鱗翅目害虫が挙げられる。
【実施例】
【００１５】
以後実施例を用いて本発明をさらに詳しく説明するが、本発明が本実施例に限定される訳ではない。 
【００１６】
（製剤例１）
フタルスリン ５０ｍｇおよび シフェノトリン  ５０ｍｇを１号灯油１３２ｇに溶解させてエアゾール原液を作成した。このエアゾール原液と液化石油ガス１３７ｇを４２０ｍｌ容量のエアゾール缶に充填し、製剤例１のエアゾールを作製した。
【００１７】
（比較例１）
フタルスリン ５０ｍｇおよび シフェノトリン  ５０ｍｇの代わりに、フタルスリン １００ｍｇを加える以外は製剤例１と同様にして、比較例１のエアゾールを作製した。
【００１８】
（比較例２）
フタルスリン ５０ｍｇおよび シフェノトリン  ５０ｍｇの代わりに、シフェノトリン  １００ｍｇを加える以外は製剤例１と同様にして、比較例２のエアゾールを作製した。
【００１９】
（試験例１）
２ｍ×２ｍ×２ｍの小部屋の中にコナガを５０頭放し、供試エアゾールを２秒噴霧して、経時的にノックダウン虫数を数え、KT50値を求めた。
対照として、比較例１、比較例２とともに市販剤（有効成分：ピレトリン）についても同じ試験を行った。
結果を表１に示した。
【００２０】
【表１】
2006290752.tif 000002
【００２１】
シフェノトリン単独の製剤（比較例２）に比べ、フタルスリン と混合することによって、即効性が増し、また市販剤よりも即効性に優れた。
【００２２】
（試験例２）
建物の外壁に供試エアゾールを噴霧（３秒／ｍ２）し、噴霧直後及び３日後にハスモンヨトウ10頭を強制的に留まらせ、５分後にその位置に留まっているかを調べた。
結果を表２に示す。
【００２３】
【表２】
2006290752.tif 000003
【００２４】
いずれの製剤も処理直後は１００％蛾を忌避したが、3日後にはフタルスリン単独の製剤（比較例１）及び市販品は蛾が壁面から移動する率が下がり、忌避効果が低下していた。それに対して、フタルスリンとシフェノトリンとを混合した製剤例１では3日後も高い忌避活性を維持していた。
(57)【要約】【課題】  芳香族化合物と塩化水素を含む混合ガスから塩化水素を分離して回収する方法であって、芳香族化合物の分離効率に優れる塩化水素の分離・回収方法を提供する。【解決手段】  芳香族化合物と塩化水素を含む混合ガスから芳香族化合物を分離して回収する方法であって、分離操作を圧力０．３〜１．０ＭＰａで行うことにより芳香族化合物を凝縮させて分離・回収する芳香族化合物の分離・回収方法。芳香族化合物としては、ベンゼン、トルエン、キシレン等を上げることができ、産業上の観点からベンゼンを用いる場合が特に重要である。  芳香族化合物と塩化水素を含む混合ガス中の芳香族化合物と塩化水素の混合比は、通常０．１／１〜３／１（芳香族化合物／塩化水素のモル比）である。【選択図】  図１
2006290757.tif 000002
【特許請求の範囲】
【請求項１】
芳香族化合物と塩化水素を含む混合ガスから芳香族化合物を分離して回収する方法であって、分離操作を圧力０．３〜１．０ＭＰａで行うことにより芳香族化合物を凝縮させて分離・回収する芳香族化合物の分離・回収方法。
【請求項２】
芳香族化合物と塩化水素を含む混合ガスが、下記の塩素化工程で得られる請求項１記載の方法。
塩素化工程：芳香族化合物と塩素を反応させ、塩素化芳香族化合物と塩化水素を得る工程
【請求項３】
芳香族化合物がベンゼンである請求項１記載の製造方法。
【発明の詳細な説明】
【技術分野】
【０００１】
本発明は、塩化水素の分離・回収方法に関するものである。更に詳しくは、本発明は、芳香族化合物と塩化水素を含む混合ガスから塩化水素を分離して回収する方法であって、芳香族化合物の分離効率に優れる芳香族化合物の分離・回収方法に関するものである。
【背景技術】
【０００２】
たとえばベンゼンのような芳香族化合物を塩素により塩素化することによりクロルベンゼン（モノクロルベンゼンを意味する。以下、同じ。）のような塩素化芳香族化合物を製造する方法は公知である（たとえば、特許文献１参照。）。ここで、芳香族化合物と塩化水素を含む混合ガスが得られる。この混合ガス中の芳香族化合物は、塩化水素と分離し、塩素化にリサイクルするなどの方法により有効利用することが好ましい。一方分離した塩化水素は、塩酸の製造、酸素酸化あるいは電気分解による塩素の製造、オキシクロリネーションによる塩素化炭化水素化合物の製造などの原料として用いることができるが、芳香族化合物が少ないことが、製品純度の確保、有害な多塩素化芳香族化合物の生成防止などの観点から求められる。
【０００３】
【特許文献１】米国特許第２６５３９０４号明細書
【発明の開示】
【発明が解決しようとする課題】
【０００４】
かかる状況において、本発明が解決しようとする課題は、芳香族化合物と塩化水素を含む混合ガスから芳香族化合物を分離して回収する方法であって、芳香族化合物の分離効率に優れる芳香族化合物の分離・回収方法を提供する点にある。
【課題を解決するための手段】
【０００５】
すなわち、本発明は、芳香族化合物と塩化水素を含む混合ガスから芳香族化合物を分離して回収する方法であって、分離操作を圧力０．３〜１．０ＭＰａで行うことにより芳香族化合物を凝縮させて分離・回収する芳香族化合物の分離・回収方法に係るものである。
【発明の効果】
【０００６】
本発明により、芳香族化合物と塩化水素を含む混合ガスから塩化水素を分離して回収する方法であって、芳香族化合物の分離効率に優れる塩化水素の分離・回収方法を提供することができる。
【発明を実施するための最良の形態】
【０００７】
芳香族化合物としては、ベンゼン、トルエン、キシレン等を上げることができ、産業上の観点からベンゼンを用いる場合が特に重要である。
【０００８】
混合ガスは、下記の塩素化工程で得られるものを用いることができる。
塩素化工程：芳香族化合物と塩素を反応させ、塩素化芳香族化合物と塩化水素得る工程
【０００９】
芳香族化合物と塩化水素を含む混合ガス中の芳香族化合物と塩化水素の混合比は、通常０．１／１〜３／１（芳香族化合物／塩化水素のモル比）である。
【００１０】
塩素化工程では、芳香族化合物が塩素化された塩素化芳香族化合物が得られるとともに、芳香族化合物と塩化水素を含む混合ガスが得られる。
【００１１】
芳香族化合物と塩素を反応させる方法については、特に制限はなく、公知の方法を使用することができる。具体的な方法の例を示すと、次のとおりである。芳香族化合物と塩素のモル比（芳香族化合物／塩素）は３以上であり、反応温度は２５〜１４０℃であり、反応圧力は０．０２〜１．０ＭＰａである。反応器としては、たとえば槽型反応器を用いることができる。反応には触媒としてＦｅＣｌ2を用いることができる。
【００１２】
本発明においては、芳香族化合物と塩化水素を含む混合ガスから芳香族化合物を分離して回収するに際し、分離操作を圧力０．３〜１．０ＭＰａで行う。なお、更に好ましい分離操作の圧力は０．３５〜０．８ＭＰａである。分離操作圧力が低すぎると塩化水素中の芳香族化合物を十分凝縮、除去することが困難となり、一方分離操作圧力が高すぎると該混合ガスを操作圧力まで昇圧するのに要するエネルギーや設備費が大きくなり、経済的に不利となる。ここで、分離操作の圧力とは最終的に凝縮せずにガスとして回収された塩化水素の圧力をいう。
【００１３】
混合ガスを冷却し、芳香族化合物を凝縮させて芳香族化合物を分離・回収方法する具体例を示すと、次のとおりである。
【００１４】
芳香族化合物と塩化水素を含む混合ガスはそのまま冷却し、芳香族化合物を凝縮させたもよいが、圧力が小さい場合は一旦好ましい圧力まで圧縮してから芳香族化合物を凝縮させてもよい。冷却を行う場合、単一の熱交換器で行ってもよいが、複数の熱交換器を直列、あるいは並列に設置して行ってもよい。混合ガスの冷却に用いる冷媒は特に限定されないが、混合ガスを大気温より低い温度まで冷却する場合、まず通常の冷却水で冷却した後、未凝縮のガスを更に低温の冷媒で冷却することにより、冷却に要するエネルギーを節減できる場合がある。
【００１５】
本発明により分離・回収された芳香族化合物は、塩素化反応の原料などに用いることができる。
【実施例】
【００１６】
次に本発明を実施例により説明する。
実施例１
ベンゼンを塩素と反応させてモノクロルベンゼンと塩化水素を得た。ここで反応温度１１６℃、反応圧力０．６ＭＰａとした。原料塩素流量は４２１ｋｇ−ｍｏｌ／ｈｒであり、外部から供給されるベンゼン／塩素のモル比は８／１とした。反応によりベンゼンと塩化水素を０．７／１のモル比で含む混合ガス６２４ｋｇ−ｍｏｌ／ｈｒが発生した。これをまず通常の冷却水により４０℃まで冷却し、未凝縮のガスは低温の冷媒を用いて更に５℃まで冷却してベンゼンを凝縮、分離した。この結果、混合ガス中のベンゼンの９９％が回収され、分離した塩化水素中のベンゼンのモル分率は０．００８まで低減した。凝縮した主にベンゼンからなる液は塩素化反応にリサイクルした。
【００１７】
【表１】
2006290757.tif 000003
【図面の簡単な説明】
【００１８】
【図１】本発明を実施するフローの例である。
【符号の説明】
【００１９】
Ａ  反応器
Ｂ、Ｃ  熱交換器
Ｄ  槽
Ｅ  ポンプ
【図１】
2006290757.tif 000004
(57)【要約】【課題】火山噴出物であるシラスはあまり有効利用がなされていない。又各種スラグは産業廃棄物として扱われているが、近年になって土木資材として路盤材などに利用され始められている。だが、いまだ未利用物が多い。【解決手段】スラグの粒状物に樹脂セメント等と微粒子シラスを表面コーティングすることで、スラグの安全安定した粗骨材を得られる。これに保水力のある火山噴出物（シラス）を細骨材とし、バインダーにセメントを使用し撹拌、混練して成型すると、保水性の高い透水性のあるポーラスコンクリート製品が出来る。上記課題を簡単かつ容易に、しかも安価な材料で自然環境に優しい商品開発が出来ると同時に廃棄物スラグと火山噴出物（シラス）を有効利用することに成功した。【特許請求の範囲】
【請求項１】
火山噴出物（シラス）をスラグ粒状物に樹脂セメント等のバインダーで表面コーティングして安全安定した粗骨材を得る製法。
【請求項２】
火山噴出物（シラス）を高温乾燥して重量比で含水率を１０％以内に乾燥させてポーラスコンクリート用の細骨材とする方法。
【請求項３】
上記請求項１記載の粗骨材と、請求項２の細骨材とセメントを混合し水を加えて撹拌、混練して得られるポーラスコンクリートを製造する方法及びその製品。
【発明の詳細な説明】
【技術分野】
【０００１】  本発明は、各種スラグ（例えば、溶融スラグや高炉スラグ等）に火山噴出物（シラス）を表面コーティングし、その粒材を、バインダーにセメントを使用し成型加工したポーラスコンクリート製品を製造する方法に関するものである。
【背景技術】
【０００２】  砂、砕石、セメント等を加工したポーラスコンクリートは多く出来ている。だが、従来品は、透水性は有るが保水性は少ない。又、シラスとセメントを混ぜ合わせたシラスコンクリートも出来ているが、透水性や保水性の有る物はない。【０００３】  従来のスラグ利用のポーラスコンクリートは、一般的な砂、砕石、セメントの中にスラグを少し含有させた物（特許文献１）やスラグを混和材料として利用する物（特許文献２）がある。【０００４】  本発明の様にスラグの粒状物にシラスをコーティングして細骨材とし、粗骨材と細骨材を加えセメントをバインダーとし成型加工するポーラスコンクリートは出来ていない。【０００５】
【特許文献１】  特許公開２００４−１４２９７３号公報
【特許文献２】  特許公開２００４−１０７１０１号公報
【発明の開示】
【発明が解決しようとする課題】
【０００６】  火山噴出物であるシラスはあまり有効利用がなされていない。又、各種スラグは産業廃棄物として扱われる中、近年になって土木資材として路盤材などに利用され始められているが、いまだ未利用物が多い。
【課題を解決する為の手段】
【０００７】  本発明は火山噴出物（シラス）と各種スラグの有効利用問題を解決することに鋭意研究し、シラスの保水力に着目した。その結果、スラグの粒状物にシラスをコーティングすることで、透水性と保水性の両特徴を持ったポーラスコンクリートを発明し上記課題を多大に有効利用することに成功した。
【０００８】  火山噴火物（シラス）は一般的に含水率が自重比４０％〜５０％ほどあるので、乾燥させて含水率を１０％以内に加工する。その含水率１０％以内のシラスを樹脂セメント等によりスラグ粒状物にコーティングすることで保水力の有るポーラスコンクリートの基材が出来ることを特徴とする。
【０００９】  シラスコーティングスラグ粒状物を基材とし、シラス細骨材を加えセメントをバインダーとして混練することで、高い透水性、保水性を得るシラススラグポーラスコンクリートが製造できる。
【００１０】  本発明のシラスコーティングスラグ基材を混練するバインダーはセメントを使用するが、その混練用セメントは特に限定されず、普通のセメント、高炉セメント、樹脂セメント、アルミナセメントなどを使用できる。
【００１１】  本発明のシラススラグポーラスコンクリートはスラグに含まれる重金属等の溶出を樹脂セメントとシラスでコーティングすることにより、安全安定した基材として利用できることも特徴である。
【発明の効果】
【００１２】  本発明のシラススラグポーラスコンクリートはシラスの有効利用とスラグを安全安定基材として利用し、安価で高い保水性と透水性を得られるポーラスコンクリートが製造でき、各種多方面に活用できる利点がある。
【発明をじっしするための最良の形態】
【００１３】  安全で安価な多方面に活用できるポーラスコンクリートを製造できることを実現した。
【実施例１】
【００１４】  火山噴出物（シラス）を高温乾燥により含水率１０％以内のシラスに変え、その乾燥シラスを樹脂セメント等でスラグ粒状物にまんべんなくコーティングして安全安定基材を得る。【００１５】  コーティングスラグを粒状の大きさにより中粒４ｍｍ〜７ｍｍと小粒１ｍｍ〜３ｍｍに２分類する。その中粒と小粒を１対１又は、３対２の割合で配合し、粗骨材とする。【００１６】  該粗骨材とシラスとセメントを混練してポーラスコンクリートを得る。その配合比率は重量比粗骨材１７〜１８とセメント４〜５とシラス１で混練し水はセメント比Ｗ／Ｃ３０％〜３５％を使用する。【００１７】  混練手順は、モルタルミキサーに粗骨材を投入し水を加える。３０秒以上撹拌した後、セメントを投入する。９０秒〜２分混練し、最後にシラスを投入し６０秒ほど撹拌、混練する。【００１８】  撹拌、混練された材料を用途に合わせた金型にすばやく入れ押圧し、その金型のまま養生し２４時間後に脱型する。【００１９】  脱型して２０日間養生すれば保水性の高い透水性ポーラスコンクリート製品が出来上がる。
【産業上の利用可能性】
【００２０】  本発明はスラグ粒状物に樹脂セメント等で微粒子シラスをコーティングし安全安定した粗骨材を製造でき、廃棄物スラグを有効利用できると共に、火山噴出物（シラス）も利用できる。【００２１】  保水性の高い透水性ポーラスコンクリート製品は今後要望の高いインターロッキングや漁礁、地下貯留槽など、用途は多岐にわたる。【００２２】  火山噴出物（シラス）や各種スラグは資源として大量に存在し、原料コストが安く、保水性の高い透水性ポーラスコンクリート製品が安価で提供できる。【００２３】  当該方法で製造された製品は廃棄物スラグを再利用できた商品としてグリーン認定の適用を受けることができる。
(57)【要約】【課題】  容器の移動を、より確実に移動するようにした。【解決手段】  容器を蓋で覆い、容器の空気を吸引して、蓋に吸着させ移動する。【選択図】図１
2006290453.tif 000002
【特許請求の範囲】
【請求項１】
容器の入り口側を、移動手段を有し気体制御手段を有する蓋で覆い、容器の中の空気を吸引して蓋に吸着させ、移動する、容器吸着移動方法。
【請求項２】
積み重ねられた容器を移動しながら反転させて容器の入り口側を表にし、その容器を、移動手段を有し気体制御手段を有する蓋で覆い、中の空気を吸引して蓋に吸着させ、その容器に付着する容器は、付着する容器の中に気体を吹き込むことで分離し、移動する、容器吸着移動方法。
【請求項３】
移動手段を有し気体制御装置を有する気体制御管を所要数有した蓋と、気体制御装置を有する所要数の気体吹き込み管と、所要数の容器検知センサーと、容器移動用ガイド要具と、所要数の容器移動装置から成る、容器吸着移動装置。
【発明の詳細な説明】
【技術分野】
【０００１】  本発明は、容器を吸着させ、移動する方法に関するものである。
【背景技術】
【０００２】  柔軟な吸盤の中の空気を抜き吸盤に吸着させ移動していた。
【発明の開示】
【発明が解決しようとする課題】
【０００３】  柔軟な吸盤なので破損しやすく耐久性が無く、吸着する面が平面に限定され、容器内すべての異物が吸引されず、小さな吸盤の中の異物だけしか吸引されない。
【課題を解決するための手段】
【０００４】  積み重ねられた空の容器の最上部の容器の入り口側に、蓋をして容器の空気を吸引し、容器を蓋に吸着させ移動するようにした。
【発明の効果】
【０００５】  容器の入り口側を蓋に吸着させ取り出すので取出しが安定し、上下左右の移動も可能で、容器内異物も全部吸引され、容器底部は平面に限定されず、しかも、蓋は柔軟でなくてもよいので、ほとんど破損しない。
【発明を実施するための最良の形態】
【０００６】  （ｂ）容器供給部、（ｃ）容器移動装置部、（ｄ）容器横移動部、（ａ）容器吸引吸着部を、５、容器移動用ガイド要具で弓状に連結し、容器を移動させ、（ａ）容器吸引吸着部で吸着し、移動手段を用い所定の位置に移動した。
【実施例】
【０００７】  （ｂ）容器供給部より、６、積み重ねられた容器を供給し、（ｃ）容器移動装置部の、７、容器移動装置を矢印の方向に回転させ、容器を移動する。容器が図１（ａ）から移動し（ａの１）容器吸引吸着部の、３、移動手段を有する蓋に接すると、４、容器検知センサーの検知で、７、容器移動装置が停止し、容器の移動も停止する。【０００８】  容器を、１、空気制御装置を有する空気制御管で吸引し、３、移動手段を有する蓋に吸着させ、付着している下の容器に、２、空気制御装置を有する空気吹き込み管より、空気を吹き込みながら、３が上昇すると、容器が分離するので、空気吹き込みを止め、図２（ａの２）、（ａの３）、（ａの４）、と移動させ、８、コンベヤーの上で、１、空気制御装置を有する空気制御管の吸引を、停止、もしくは停止後瞬間排気に切り替えて、吸着を解除すると、容器は８、コンベヤーの上に移動する。【０００９】  空の３は、（ａの４）、（ａの３）、（ａの２）、（ａ）と戻り待機する。待機が完了すると、７、容器移動装置が作動し、上記動作を繰り返す。（ｂ）容器供給部の容器が不足したら補給する。【００１０】  容器ストック部を設け、容器供給部に容器不足検知センサーを設け、不足を検知したら、容器ストック部より常套手段で自動供給しても良い。容器移動装置はベルトに送り板を取り付けた実施例に限定するものではない。歯車でも良いし、複数設けても良い。（ａ）、（ｂ）、（ｃ）、（ｄ）は、傾斜しても良い。【００１１】  ３は、容器に完全密着構造のものでなくとも良い。３に、非接触で容器移動を停止し、１で吸引しながら１個の容器だけを、２を動作させて浮かせて分離し、３に、吸着させてもよい。吸着させたと容器と、それに付着した容器の分離は、付着した容器を押さえて、３を上昇させ、分離しても良い。装置を複数にして、一度に複数吸着させ移動してもよい。１は、排気してから吸引しても良い。１、は複数でも良い。２は、上下左右に複数でも良い。２は、他に支柱を設けそれに取り付けても良い。４は、他に支柱を設けそれに取り付けても良い。４は、複数でも良い。１からの瞬間排気と、２から吹き込むものは無菌の気体でも良い。空気に限定しない。
【図面の簡単な説明】
【００１２】
【図１】実施例の部分詳細説明図である。（ａ）容器吸引吸着部、待機状態の、詳細側面図。（ａの１）容器吸引吸着部、動作状態の詳細側面図。
【図２】実施例の全体説明図である。（ａ）容器吸引吸着部。（ａの２）容器吸引吸着部、上下移動部。（ａの３）容器吸引吸着部、横移動部。（ａの４）容器吸引吸着部、上下移動部。（ｂ）容器供給部側面図。（ｃ）容器移動装置部側面図。（ｄ）容器横移動部側面図。
【符号の説明】
【００１３】  １  空気制御装置を有する空気制御管
２  空気制御装置を有する空気吹き込み管
３  移動手段を有する蓋
４  容器検知センサー
５  容器移動用ガイド要具
６  積み重ねられた容器
７  容器移動装置
８  コンベヤー
【図１】
2006290453.tif 000003
【図２】
2006290453.tif 000004
(57)【要約】【課題】飲料用紙パックの側面は必要表示以外にもスペースが作りやすく有効的に使うことができる。【解決手段】飲料用紙パックの側面に内容物以外の広告およびＱＲコードを掲載することで、広告の効果やサービスに幅を持たせることができる。【選択図】図１
2006290452.tif 000002
【特許請求の範囲】
【請求項１】
飲料用紙パックの必要表示部分以外のスペースに広告及びＱＲコードを表示した飲料用紙パック。
【請求項２】
収容する内容物が牛乳であることを特徴とする請求項１記載の飲料用紙パック。
【発明の詳細な説明】
【技術分野】
【０００１】この発明は飲料用紙パックの側面を利用した広告に関するものである。
【背景技術】
【０００２】従来の飲料用紙パックは品名・製造会社・販売会社等の必要事項を表示するものである。
【発明の開示】
【発明が解決しようとする課題】
【０００３】しかしながら、飲料用紙パックには必要表示を記載した以外にもスペースは作りやすく、このスペースを有効に活用することを課題とする。
【課題を解決するための手段】
【０００４】上記のスペースを活用し、広告を載せ、ＱＲコードを添付して任意のＷｅｂサイトにアクセスする、窓口となる広告を提供する
【発明の効果】
【０００５】内容物によって購入する層が把握しやすく、ターゲットを絞り込んだ広告を掲載することができる。また、ＱＲコードを添付することにより容易に任意のｗｅｂサイトにアクセスすることができる。
【発明を実施するための最良の形態】
【０００６】この発明の一実施形態を、図１に示す。
従来の飲料用紙パックは、内容物に対するデザイン、説明がなされているそこに内容物とは関係のない広告を掲載し、インターネットと連動した多様なサービスを提供する。
「実施形態の効果」【０００７】この実施形態によれば、内容物によって購入層が把握しやすくニーズにあった広告を提供できる。また、ＱＲコードを添付することにより容易にＷｅｂサイトにアクセスでき、Ｗｅｂサイト上の様々なサービスに連携できる。
「他の実施形態」【０００８】図１の実施形態では、飲料用紙パックのスペースの有効活用であったが他の実地形態では、飲料用ペットボトルのラベルでもよい。
【図面の簡単な説明】
【０００９】
【図１】この発明の一実施形態を示す斜視図である。
【符号の説明】
【００１０】１，ＱＲコード  ２，広告  ３，ＱＲコードからインターネットにアクセス
【図１】
2006290452.tif 000003
(57)【要約】【課題】従来のスクリューキャップを有するボトル型容器の形状は、開栓に際してはキャップに直接手指を触れるものであり、固く取り付けられたキャップを開栓する際、かなりの握力を必要とするほか、ねじ切ったキャップの端にできたバリで手指に怪我を負う危険性があった。  そこで、この発明は、開栓が容易かつ安全な容器を提供することを課題とする。【解決手段】スクリューキャップの開栓を容易にするオープナー機能を容器の底部に一体的に設ける。容器の底部に容器のキャップの形状と同型のくぼみを設け、同型の他の容器を使用することにより、より少ない握力で容易に容器を開閉できる。又、キャップに直接手指を触れないため、手指の怪我を防ぐ。【選択図】図１
2006290456.tif 000002
【特許請求の範囲】
【請求項１】
スクリューキャップの開栓を容易にするオープナー機能を備えた底部を設けたことを特徴とするボトル型容器
【請求項２】
前記底部は、容器のキャップの形状と同型のくぼみを有することを特徴とする請求項１記載の容器。
【発明の詳細な説明】
【技術分野】
【０００１】  本発明は、スクリューキャップを開栓するためのオープナー機能を備えた底部を設けたボトル型容器に関する。
【背景技術】
【０００２】  従来のスクリューキャップを有するボトル型容器は、図４の符号４に示すように、底部の形状が平面状もしくは平面に近いものである。
【特許文献１】特許公開２００４−２５００３２号公報（図１）
【発明の開示】
【発明が解決しようとする課題】
【０００３】  しかしながら以上の技術によれば、開栓に際してキャップに直接手指を触れるものであり、固く取り付けられたスクリューキャップを開栓するにはかなりの握力を必要とするほか、ねじ切ったキャップの端にできたバリで手指に怪我を負う危険性があった。
そこで、本発明は、開栓が容易かつ安全な容器を提供することを課題とする。
【課題を解決するための手段】
【０００４】  以上の課題を解決するために、第一発明は、スクリューキャップの開栓を容易にするオープナー機能を備えた底部を設けたことを特徴とする容器である。
また、第二発明は、底部に容器のキャップの形状と同型のくぼみを有することを特徴とする容器である。
【発明の効果】
【０００５】  第一発明、または第二発明によれば、容器の底部にキャップオープナーを設けたことで、開栓作業に同型の他の容器を使用することにより、より少ない握力で容易に容器を開栓することができる。開栓に際してはキャップに直接手指を触れないため、ねじ切ったキャップの端にできたバリで手指に怪我を負う危険を防ぐ。【０００６】  本発明は、開栓作業において同型の他の容器を使用するという独自性と、より少ない握力で容易に容器を開閉できるという特徴を合わせ持つ。このことから、より固く封印されることを必要とする薬品、洗剤、揮発性溶液、酒類などの内容物の容器への本発明の利用により、幼児や使用者以外による内容物の誤使用を防ぐ効果が期待できる。さらにはこの容器又は容器を使用した商品を、複数購入又は常用するなどの消費者への購買意欲の喚起も期待できる。又、本発明は容器をより固く閉栓するのが容易なことから、保存容器としての利用も可能である。その応用範囲は食品、炭酸飲料、揮発性溶液など、多岐にわたる。
【発明を実施するための最良の形態】
【０００７】  本発明の一実施形態を、図１に示す。本体１には、スクリューキャップ２の形状と同型のくぼみを有する底部３が一体的に設けられている。この底部３のくぼみは、容器の開閉作業後無理なくスクリューキャップを取り出せるように、スクリューキャップ２の形状に対してわずかのあそびの幅がある。本体１の材質はガラス製又は金属製又はペット樹脂のようなプラスチック製など多岐にわたる。スクリューキャップ２の材質は金属製又はペット樹脂のようなプラスチック製など多岐にわたる。【０００８】  図２は本発明の側面からの平面図である。本体１の底部３のくぼみの深さは、容器の開閉作業後容易にキャップをくぼみから取り出せるように、スクリューキャップ２の深さよりも浅い。【０００９】  図３は本発明による容器の開栓方法を示す。容器を開栓するには、本体１のスクリューキャップ２を同型の別の容器の本体１ａの底部３ａにはめ込み、本体１ａを開栓方向に回転させる。【００１０】「実施形態の効果」
この実施形態によれば、スクリューキャップを手指で直接つかんで回転させるよりも握力を必要とせずに容易に開栓できる。ねじ切ったスクリューキャップの端のバリで手指を怪我から守る。再び容器を閉栓するのにも、少ない握力でより固く締めることが容易である。【００１１】「他の実施形態」
図１によるとスクリューキャップ２および底部３の断面は波型の溝を複数設けた円形だが、他の実施形態ではキャップおよび底部の断面の形状は四角形又は六角形などの多角形でもよい。
【図面の簡単な説明】
【００１２】
【図１】本発明の一実施形態を示す下方向からの斜視図である。
【図２】本発明の一実施形態を示す側面からの平面図である。
【図３】本発明の使用方法を示す側面からの平面図である。
【図４】従来技術を示す平面図である
【符号の説明】
【００１３】  １、１ａ  本体
２        スクリューキャップ
３、３ａ  底部（オープナー）
４        従来の技術による容器の底部の一例
【図１】
2006290456.tif 000003
【図２】
2006290456.tif 000004
【図３】
2006290456.tif 000005
【図４】
2006290456.tif 000006
(57)【要約】【課題】  従来の屋根型紙容器の開封は、屋根の縁を広げて開ける際、接着面を指を使って開けようとして注ぎ口先端が破れてしまうことがあり、牛乳等の飲料を紙等の容器で梱包する際、小さな力量で容易に容器を開封可能な梱包技術に関する。【解決手段】  以上の課題を解決するため、容器上部前板に形成された中央三角片と左右三角片に跨る折曲線を施し、容器上部を密封する際、当該折曲線により生じた中央小三角片と左右小三角片より構成される折り返し突出した注ぎ口を形成する。  本発明は、以上の構成よりなる牛乳等の飲料物などを密封または開封可能な、折り返し突出した注ぎ部を形成したことを特徴とする屋根型容器である。【選択図】  図１
2006290455.tif 000002
【特許請求の範囲】
【請求項１】
前板、底板、側板、および後板で構成され、当該前板上部に形成された折曲線により中央三角片および左右三角片を区分し、これら三角片を折り曲げつつ前記側面板上部に傾斜部を形成し、前記前板、側板、および後板上縁を接着固定した屋根型容器において、前記前板の上部中央に、前記中央三角片および左右三角片に跨った折曲線によって折り返し突出した注ぎ部を形成したことを特徴とする屋根型容器。
【発明の詳細な説明】
【技術分野】
【０００１】  牛乳等の飲料を紙等の容器で梱包する際、小さな力量で容易に容器を開封可能な梱包技術に関する。
【背景技術】
【０００２】  従来の屋根型紙容器にて密封された牛乳パックの開け方は、二つの屋根の縁を外側にあける方法、または、容器屋根にコックを取り付けする方法、別途ストローを用意する方法などがあった。
【発明の開示】
【発明が解決しようとする課題】
【０００３】  これは次のような欠点があった。
従来の一般的な屋根型紙容器の開封方法である屋根の縁を広げて開ける方法では、接着面を指を使って開けようとして注ぎ口先端が破れてしまうことがあった。また、幼児などでも簡単に飲料できるよう箱上部に開閉穴を備え付け、次いで、ストローやコックなどの道具を別途用意する必要があった。
【課題を解決するための手段】
【０００４】  以上の課題を解決するために、前板上部の中央三角片と左右三角片に跨る折曲線を形成し、容器を屋根型に閉じる際、折曲線内部に形成された中央小三角片と左右小三角片を当該折曲線によって折り返し突出した注ぎ部を形成する。
本発明は、以上の構成よりなる牛乳等の飲料物などを密封または開封する方法である。
【発明の効果】
【０００５】  本発明によれば、容器上部のふたつの屋根を指を用いて両側に開く際、完全に屋根をめくり終わらなくとも注ぎ口の一部を開封することができるため、小さい力量でも注ぎ口全体を開けることができる。
また、折り返し突出した注ぎ部は、梱包時両側の屋根の間に収納されている構造のことから、搬送または取り扱い時において細菌などの微生物より汚染を防ぐことが可能となる。
【発明を実施するための最良の形態】
【０００６】以下、この本発明の好ましい一実施の形態を説明する。
図１を用いて説明すると、箱を開くと注ぎ口となる前板上部（２）に、次の折り返し突出した注ぎ部（１）を設ける。【０００７】  折り返し突出した注ぎ部（１）を、図２の本発明の折り返し突出した注ぎ部を備えた屋根型容器展開図を用いて説明すると中央三角片（１ａ）と左三角片（１ｂ）と右三角片（１ｃ）に跨る折曲線（１Ｌ）を形成し、折曲線（１Ｌ）内部に生じた中央小三角片（１ｄ）と左小三角片（１ｅ）と右小三角片（１ｆ）をそれぞれ設ける。【０００８】  容器を密封する際、中央小三角片（１ｄ）と左小三角片（１ｅ）、右小三角片（１ｆ）を折曲線（１Ｌ）によって折り返し突出した注ぎ部（１）に形成する。【０００９】  箱の内部に牛乳等の飲用物を収納したのち、左側板上部（３）と右側板上部（４）に接着剤等を塗布して容器を密封する。【００１０】  ついで、図３の本発明の容器を完全に開封した状態の構造を説明すると、折り返し突出した注ぎ部（１）と、前板上部（２）は、従来よりある一般的なピュアパックと呼ばれる屋根型容器同様の開口形状となる。【００１１】  本発明の構造を構成する素材は、紙を主成分とする素材がもっとも好ましいが、その他材料でも、本発明の趣旨を逸脱しない。【００１２】  本発明の折り返し突出した注ぎ部（１）の注ぎ口部分を構成する折曲線（１Ｌ）は、一定の大きさ角度および位置に限定されるものではなく、前板上部（２）に、突出した注ぎ口を備えていれば如何なる形状でも本発明の趣旨を逸脱しない。
また、折り返し突出した注ぎ部（１）は、容器に一箇所備え付けることが望ましいが複数あっても本発明の趣旨を逸脱しない【００１３】  本発明の突出した注ぎ部（１）を備えた容器の内部は、牛乳などの飲料物の他、洗剤や塗料などを格納し如何なる構成成分を包装しても本発明の趣旨を逸脱しない。【００１４】「実施発明の効果」
本発明の折り返し突出した注ぎ部（１）を使用することにより、小さい力量でも容易に牛乳パック等の屋根型容器の開封が可能となり、別途ストローやコックを取り付けする必要がない。
また、折り返し突出した注ぎ部（１）を備えた構造は、梱包時外気に触れない構造のことより従来の屋根型容器同様細菌や微生物等からの汚染防止することが可能であり、安全な運搬および保管を提供できる。
【図面の簡単な説明】
【００１５】
【図１】  本発明の折り返し突出した注ぎ部を備えた屋根型容器の部分開封時の斜視図
【図２】  本発明の折り返し突出した注ぎ部を備えた屋根型容器の展開図
【図３】  本発明の折り返し突出した注ぎ部を備えた屋根型容器の完全開封時の斜視図
【符号の説明】
【００１６】１      折り返し突出した注ぎ部
１ａ    中央三角片
１ｂ    左三角片
１ｃ    右三角片
１ｄ    中央小三角片
１ｅ    左小三角片
１ｆ    右小三角片
１Ｌ    折曲線
２      前板上部
３      左側板上部
４      右側板上部
５      前板
６      左側板
７      右側板
８      後板
９      底板
【図１】
2006290455.tif 000003
【図２】
2006290455.tif 000004
【図３】
2006290455.tif 000005
(57)【要約】【課題】  容器に入っている、クリーム状の物を簡単に取り出せるようにした。又容器内のクリーム状の物に外気、水滴、不純物が交わらないように防水、密封式で効力を保つようにした。クリーム状専用ポンプを提供する。【解決手段】本体２０の取り付溝１５を容器に取り付ける、ヘッド１を押すだけで必要な分量が取り出せる。防水、密封式のポンプで洗面所、風呂場でも安心して使用できるようにする。【選択図】図１
2006290454.tif 000002
【特許請求の範囲】
【請求項１】
ポンプ本体に内蔵したバネ、伸縮ビニール、伸縮ゴム、プラスチック製、ビニール製、ゴムを含む
「弾性部材」で圧力、吸収、振動で容器入りクリーム状の物を取り出すクリーム状専用ポンプ
【発明の詳細な説明】
【技術分野】
【０００１】この発明は、容器入りクリーム状の物を簡単に取り出せるようにした。容器内に外気、水滴、不純物が交わらないようにした、クリーム状専用ポンプに関するものです。
【背景技術】
【０００２】従来は、容器入りクリーム状の物を取り出せるポンプはなかった。
【特許文献】
【０００３】
【発明の開示】
【発明が解決しようとする課題】
【０００４】これは次のような欠点があった。
容器入りクリーム状の物を使用時にその都度容器の蓋に開閉の手間がかかっていた。又その都度指先で取り出す際に水滴、外気、不純物が交わりクリーム状の効力を失っていた。本発明は以上のような欠点をなくすためになされたものです。
【課題を解決するための手段】
【０００５】容器入りクリーム状の物の蓋を、本体２０に取り換える。本体２０内蔵の圧力バネ１７、圧縮盤１８、吸収バネ５などの装置した物で、ヘッド１を押すことにより必要な分量が取り出せるようにした。
又本体２０は防水、密封式で水滴、外気、不純物が交わらなくクリーム状の物の効力を保つようにした。本発明は以上の構成よりなる、クリーム状専用ポンプである。
【発明の効果】
【０００６】容器入りクリーム状の物、容器の蓋を本発明品に取り換えることにより、必要な分量で取り出せる。又防水、密封式ポンプで水滴、外気、不純物が交わることがなくなり、クリーム状の物の効力を保つことができ、又使用時容器の蓋の開け閉めをする不便がなくなる。
【発明の実施をするための最良の形態】
【０００７】以下、本発明の実施をするための最良の形態について説明する。
本体２０の中央部に、ドーナツ型盤１１にぜんまい型圧力バネ１７を設け、内側の本体２０の中心に伸縮ビニール管１６を設ける。ぜんまい型圧力バネ１７に圧縮盤１８を設け、その中心に伸縮ビニール管１６を設ける。圧縮盤１８の周囲に弾力性ゴム１９を設ける。
ヘッド１と本体２０の間の外側に防水伸縮ゴム６、内側吸収バネ５、振動軸１０、中側伸縮ビニール４を設ける。振動軸１０はドーナツ型盤１１とは固定したものである。
振動軸１０はドーナツ型盤１１の四方に設け振動軸１０の上の部分に固定した輪型を設けドーナツ型盤１１、振動軸１０は本体２０とは固定していない。本体２０に振動軸１０が振動する穴を四方に設ける。
伸縮ビニール４の内部の中心に軸８にコイル巻スプリング７を設け、軸８に蓋栓９を設ける。
本体２０の中心に軸８の支軸１２を設け支軸１２の中心に軸受け穴１３を設ける。
ヘッド１の抽出口２１にストッパー３を設けストッパー閉めバネ２を設ける。
容器取り付溝１５を設け、本体２０に回転歪み防止１４を設ける。
本発明は、以上のような構造でこれを使用する時は容器の蓋を取りクリーム状の物の表面に圧縮盤１８を合わせ込み容器取り付溝１５を容器に回しとめる。その際にぜんまい型圧力バネ１７と伸縮ビニール管１６の回転歪み防止１４である。
ぜんまい型圧力バネ１７の圧力で圧縮盤１８の中心の伸縮ビニール管１６へクリーム状の物が進入し上り、伸縮ビニール４の中に溜まる。
軸８、コイル巻スプリングス７は金属製でビニール加工するクリーム状の物に不純物が交わらないようにするためである。
ヘッド１を押すと、押す圧力で抽出口２１のストッパー３をクリーム状の物が開けて出てくる。取り出したら、ストッパー閉めバネ２が閉まる。
ヘッド１を押す際に、クリーム状の物が伸縮ビニール管１６へ戻らないように軸８に設けた蓋栓９である。又蓋栓９を押さえるためのコイル巻スプリング７である。
容器内のクリーム状の物が少なくなった場合に振動軸１０が止まる位置までヘッド１を２，３回押すとぜんまい型圧力バネ１７が圧縮盤１８を振動させ、容器内のクリーム状の物を伸縮ビニール管内へ進入さす振動軸１０である。又ヘッド１を押すと吸収バネ５が元の位置へ戻す作用とクリーム状の物を吸引さす作用をする。
圧縮盤１８周囲弾力性ゴム１９は容器内の周囲にクリーム状の物が付着しないようにしたものである。又容器の表面巾より底面巾が狭くなった容器も対応できるようにした弾力性ゴム１９でもある。
【図面の簡単な説明】
【０００８】
【図１】本発明の第１の実施形態に係る、クリーム状専用ポンプの断面図である。
【図２】クリーム状専用ポンプを容器に取り付けて、ヘッド１を押した形態の断面図である。
【図３】図２の容器内にクリーム状がなくなった状態の容器底の断面図である。
【図４】クリーム状専用ポンプを容器に取り付けてヘッド１を押した状態の側面図である。
【図５】クリーム状専用ポンプを容器に取り付けた状態の正面図である。
【図６】図５のヘッド１を押した状態のヘッド部分の正面図である。
【図７】クリーム状専用本体を容器に取り付けた状態の側面である。
【符号の説明】
【０００９】１    ヘッド
２    ストッパー閉めバネ
３    ストッパー
４    伸縮ビニール
５    吸引バネ
６    防水伸縮ゴム
７    コイル巻スプリング
８    軸
９    蓋栓
１０  振動軸
１１  ドーナツ型盤
１２  支軸
１３  軸受け穴
１４  回転歪み防止
１５  容器取り付溝
１６  伸縮ビニール管
１７  ぜんまい型圧力バネ
１８  圧縮盤
１９  弾力性ゴム
２０  本体
２１  抽出口
【図１】
2006290454.tif 000003
【図２】
2006290454.tif 000004
【図３】
2006290454.tif 000005
【図４】
2006290454.tif 000006
【図５】
2006290454.tif 000007
【図６】
2006290454.tif 000008
【図７】
2006290454.tif 000009